(57)【要約】【課題】  小型又は比較的小型でありながら、高い対象物への放水が可能なスプリンクラーを提供する。【解決手段】  スプリンクラー１を、上端開口部３及び下端開口部５を有する円筒状のボックス体７と、このボックス体７内に収容したスプリンクラーヘッド９と、このスプリンクラーヘッド９を上下駆動する昇降機構部１１と、スプリンクラーヘッド９の上端部に取り付けた、ボックス体７の上端開口部３を閉塞する蓋体１３と、から構成する。蓋体１３をスプリンクラーヘッド９の蓋体支持部７９に揺動可能に取り付けておく。【選択図】  図１
2005161137.tif 000002
【特許請求の範囲】
【請求項１】
上端が開口している筒状のボックス体と、このボックス体内に上下動可能に収容された、放水用ノズルを有するスプリンクラーヘッドと、このスプリンクラーヘッドの上端部に取り付けられた、前記ボックス体の上端開口部を閉塞する蓋体と、を備え、前記スプリンクラーヘッドの上昇にともなう前記蓋体の上昇により開放された前記ボックス体の前記上端開口部から前記放水用ノズルが外部に向けて放水を行うスプリンクラーであって、
前記蓋体は、揺動可能に前記スプリンクラーヘッドの前記上端部に取り付けられていて、前記スプリンクラーヘッドが上昇したときに、前記放水用ノズル側が上側となるように揺動して傾斜する、ことを特徴とするスプリンクラー。
【請求項２】
前記蓋体の揺動中心は、前記放水用ノズル側に偏って配置されている、ことを特徴とする請求項１記載のスプリンクラー。
【請求項３】
前記スプリンクラーヘッドを回転させる回転手段をさらに備え、
前記スプリンクラーヘッドの前記上端部には、前記蓋体が揺動したときに、前記蓋体の前記放水用ノズル側と反対側の下面に当接して前記蓋体の揺動を規制するストッパが設けられていて、
前記ストッパは、前記スプリンクラーヘッドの上昇時に、揺動して傾斜した前記蓋体の下端部が前記ボックス体の前記上端開口部よりも上側に位置するように、前記蓋体の揺動を規制する、ことを特徴とする請求項１又は２記載のスプリンクラー。
【請求項４】
前記蓋体の外周面は、上側から下側に向かって縮径するテーパ状に形成され、
前記ボックス体の前記上端開口部は、前記蓋体の外周面に対応して上側から下側に向かって縮径するテーパ部と、このテーパ部の下側に形成された内向きフランジ部と、を有していて、
前記内向きフランジ部には、内周縁部に上方から凹部が形成されている、ことを特徴とする請求項１、２又は３記載のスプリンクラー。
【請求項５】
前記スプリンクラーヘッドの前記放水用ノズルは、水平角が等しく又はほぼ等しくなるように複数本設けられていて、
複数本の前記放水用ノズルのうちの1本又は２本は、放水仰角を変更できるように構成されている、ことを特徴とする請求項１、２、３又は４記載のスプリンクラー。
【請求項６】
前記ボックス体と、このボックス体の前記上端開口部を閉塞している前記蓋体とは、腰掛けを構成している、ことを特徴とする請求項１、２、３、４又は５記載のスプリンクラー。
【発明の詳細な説明】
【技術分野】
【０００１】
本発明は、公園や庭園等に設置されて、樹木への水撒きを行ったり、火災時の延焼を防止するために樹木や建物などに放水を行ったりするスプリンクラーに関する。
【背景技術】
【０００２】
公園や庭園等の水撒きは、広範囲にわたる放水が可能なスプリンクラーを用いて行われる場合が多い。このようなスプリンクラーでは、通常、放水用ノズル又はスプリンクラーヘッドが、地中に埋設された送水管あるいは水道管と連通して地面から突出するように設けられることとなるが、ノズル又はスプリンクラーヘッドをむき出しのまま地上に突出させておくと、ノズル又はスプリンクラーヘッドの作動の不安定化あるいは故障につながる。また、むき出しのノズル又はスプリンクラーヘッドは、周囲の景観を損ねる要因となるし、歩行者等にとっても危険である。
【０００３】
このような不都合を解消するものとして、不使用時にはスプリンクラーヘッドが筒状のボックス体内に収まり、放水時にのみスプリンクラーヘッド又はノズルがボックス体から突出するポップアップ式のスプリンクラーが知られている（例えば特許文献１参照）。このスプリンクラーは、地中に埋設されている送水管に接続された筒状のガイド（外パイプ）に沿ってスプリンクラーヘッド（スプリンクラーノズル部）が上下動できるように構成され、送水管から送水された水圧によりスプリンクラーヘッドが上昇してボックス体（ボックス）から突出し、放水を行うものであって、スプリンクラーヘッドの上端部には、ボックス体の上端開口部を閉塞するための蓋体（上蓋）が固定されている。ボックス体は、地上に立設されたり、地中に埋設されたりする。このような構成により、不使用時はスプリンクラーヘッドがボックス体及び蓋体によって覆われるため、ノズル又はスプリンクラーヘッドが保護されるとともに、周囲の景観が損なわれてしまったり、ノズル又はスプリンクラーヘッドに接触して歩行者等が怪我をしてしまうといったおそれがほとんどなくなる。
【０００４】
【特許文献１】実用新案登録第２５２１３０８号公報（第３頁、第２図）
【発明の開示】
【発明が解決しようとする課題】
【０００５】
ところで、スプリンクラーを用いて樹木や建物といった高い対象物に放水する場合には、ノズルの仰角を大きく設定することが必要となるが、特許文献１に記載されたボップアップ式のスプリンクラーは、ボックス体の上端開口部を閉塞するための蓋体が水平状態でスプリンクラーヘッドの上端部に固定されているため、ノズルの仰角を大きくしてしまうと、ノズルからの放水が蓋体にあたってしまうおそれがある。ノズル先端と蓋体との距離あるいはノズル先端から蓋体までの高さを大きく設定すれば、ノズルの仰角を大きくしてもノズルからの放水が蓋体にあたらないように構成することができるが、このような対処方法では、スプリンクラーが大型化してしまう。また、スプリンクラーヘッドの上下動距離を大きく設定して放水時にノズルを高く位置させるといったことも考えられるが、満足な放水能力を得るためには、スプリンクラーをかなり大掛かりなものに構成しなければならない。
【０００６】
そこで本発明は、小型又は比較的小型でありながら、高い対象物への放水が可能なスプリンクラー、特にポップアップ式スプリンクラーの提供を目的とする。
【課題を解決するための手段】
【０００７】
この目的を達成するための本発明のスプリンクラーは、上端が開口している筒状のボックス体と、このボックス体内に上下動可能に収容された、放水用ノズルを有するスプリンクラーヘッドと、このスプリンクラーヘッドの上端部に取り付けられた、前記ボックス体の上端開口部を閉塞する蓋体と、を備え、前記スプリンクラーヘッドの上昇にともなう前記蓋体の上昇により開放された前記ボックス体の前記上端開口部から前記放水用ノズルが外部に向けて放水を行うスプリンクラーであって、前記蓋体は、揺動可能に前記スプリンクラーヘッドの前記上端部に取り付けられていて、前記スプリンクラーヘッドが上昇したときに、前記放水用ノズル側が上側となるように揺動して傾斜するものである。スプリンクラーヘッドが上昇すると、蓋体は、放水用ノズルの仰角方向に揺動して傾斜するため、蓋体と放水用ノズルとの距離を大きくしなくても、放水用ノズルの仰角を大きく設定することが可能となる。蓋体は、スプリンクラーヘッドが下降すると、水平又はほぼ水平状態でボックス体の上端開口部を閉塞することとなる。
【０００８】
蓋体の揺動中心を蓋体の中心又は重心よりも放水用ノズル側に偏るように設けておけば、スプリンクラーヘッドが上昇すると、蓋体が、自重により放水用ノズル側が上側となるように揺動して傾斜することとなる。
【０００９】
スプリンクラーは、広範囲にわたって放水できるように、回転手段によってスプリンクラーヘッドが回転するように構成される場合が多い。このような場合には、スプリンクラーヘッドが上昇して蓋体が揺動したときに、蓋体の放水用ノズルと反対側（放水方向と反対側）の下面に当接して蓋体の揺動を規制するストッパをスプリンクラーヘッドの上端部に設けておき、このストッパを、蓋体の下端部（揺動して傾斜した蓋体の最も下側に位置する部分）がボックス体の上端開口部よりも上側に位置するように蓋体の揺動を規制するものとして構成すれば、スプリンクラーヘッドの回転中に蓋体がボックス体をこすって、蓋体又はボックス体が傷付いてしまうといったことを防止できる。
【００１０】
蓋体は、スプリンクラーヘッドが下降しているとき、ボックス体の上端開口部を確実に閉塞するように、上端開口部に嵌まり込むように構成される場合が多い。このような場合には、蓋体の外周面を上側から下側に向かって縮径するテーパ状に形成し、ボックス体の上端開口部を、蓋体の外周面に対応して上側から下側に向かって縮径するテーパ部と、このテーパ部の下側に（例えばテーパ部の下端に連続して）形成した内向きフランジ部と、を有するように構成しておき、スプリンクラーヘッドが下降したときに、蓋体がテーパ部に嵌まり込み、かつ、蓋体の外周部が内向きフランジ部の上面に載るように構成することが好ましいが、例えば、自重により蓋体を揺動させる場合には、スプリンクラーヘッドが下降すると、まず、蓋体の下側に位置している部分の両側が内向きフランジ部の内周縁上端に当接又は接触する。そして、さらにスプリンクラーヘッドが下降すると、内向きフランジ部の内周縁上端と当接又は接触する蓋体個所を徐々に下端側に変位させながら、蓋体は水平状態に近づいていくが、蓋体が水平状態となってボックス体の上端開口部に嵌まり込む直前に、蓋体の下端部が内向きフランジ部の内周面と、例えば内周面上側と当接又は接触して引っかかってしまうおそれがある。そこで、内向きフランジ部の内周縁部に上方から凹部を形成しておけば、蓋体の下端部は、凹部内を通過できるようになり、内向きフランジ部に引っかかるおそれがなくなるため、蓋体は、スムーズに水平状態に移行することが可能となる。
【００１１】
スプリンクラーヘッドの放水用ノズルを、水平角が等しく又はほぼ等しくなるように、あるいは平行又はねじれの関係で複数本設け、そのうちの少なくとも1本が、放水の仰角を変更できるように構成すれば、幅広い放水範囲を確保できる。また、複数本の放水用ノズルの少なくとも２本が各々、放水の仰角を変更できるように構成すれば、より幅広い放水範囲を確保できる。
【００１２】
スプリンクラーヘッドが下降して蓋体がボックス体の上端開口部を閉塞しているときに、ボックス体及び蓋体が腰掛けを構成していれば、スプリンクラー設備のさらなる有効利用を図ることができる。
【発明の効果】
【００１３】
以上説明したように、本発明のスプリンクラーを用いれば、ノズルの仰角を大きく設定できるので、樹木や建造物といった高い対象物への放水が可能となる。
【発明を実施するための最良の形態】
【００１４】
以下、本発明の実施の形態を図面を参照して説明する。
【００１５】
図１は本発明に係るスプリンクラーの断面図、図２はスプリンクラーの要部を示す断面図、図３はスプリンクラーのスプリンクラーヘッドが上昇した状態を示す断面図、図４はスプリンクラーヘッドの概略を示す平面図である。
【００１６】
スプリンクラー１は、上端及び下端にそれぞれ、上端開口部３及び下端開口部５を有する円筒状のボックス体７と、このボックス体７内に収容されたスプリンクラーヘッド９と、このスプリンクラーヘッド９を上下動させるためにスプリンクラーヘッド９の下側に設けられた、ボックス体７と平行又はほぼ平行に延びる昇降機構部１１と、スプリンクラーヘッド９の上端部に取り付けられ、ボックス体７の上端開口部３を閉塞する蓋体１３と、を備え、昇降機構部１１は、下端部が地中に埋設された送水管１５に接続されている。
【００１７】
ボックス体７は、金属製、例えばアルミニウム合金製のボックス本体１６と、このボックス本体１６の上端部に被せられて取り付けられたゴム製のカバー部材１７と、から構成されている。ボックス体７の上端開口部３は、ボックス体７の内周面及び下端開口部５よりも小径に形成されていて、カバー部材１７で構成された、上側から下側に向かって縮径するテーパ部１９と、このテーパ部１９の下側に設けられ、ボックス本体１６で構成された、径方向内側に向かって突出する内向きフランジ部２１と、を備えている。内向きフランジ部２１の内周縁部には上方から凹部２３が形成されている（図１０も参照）。凹部２３は、内向きフランジ部２１の全周にわたって形成されることが好ましいが、スプリンクラーヘッド９の回転角度と等しい又はほぼ等しい角度にわたって内向きフランジ部２１に形成してもよい。ボックス本体１６は、高さ方向中央部の内周に、径方向内側に向かって突出する、昇降機構部１１を固定するための固定用突出部２５を周方向等間隔に複数個有し、下端部に外向きフランジ部２７を有していて、ボックス体７は、この外向きフランジ部２７の周方向複数箇所に配されたボルト２９により地中に埋設された下側ボックス体３１に固定され、例えば上端面が地表面と同一又はほぼ同一高さとなるように設置されている。なお、符号３３は、ボックス本体１６の内向きフランジ部２１と内周面との間に、周方向等間隔に複数個、一体的に形成された補強リブである。
【００１８】
昇降機構部１１は、下端部が送水管１５に連結された固定筒状部３５と、固定筒状部３５内に収容されるように、この固定筒状部３５の上端に固定された筒状又は環状のスライド軸受け部（シリンダー）３７と、スライド軸受け部３７内を上下動する作動筒状部（ロッド）３９と、を備えている。
【００１９】
固定筒状部３５は、内周面に高さ方向に向かって延びるガイド溝４１を有し、上端部に外向きフランジ４３が形成されていて、この外向きフランジ４３と環状の取り付け部材４５とを周方向等間隔に複数のボルト部材４７で固定し、取り付け部材４５とボックス体７の固定用突出部２５とをボルト部材４９で固定することによってボックス体７に固定されている。
【００２０】
スライド軸受け部３７は、上端部に外向き突出部５１が形成されていて、外向き突出部５１と固定筒状部３５の外向きフランジ４３とをボルト５３で固定することによって、固定筒状部３５に取り付けられている。スライド軸受け部３７の上面内周縁部には環状凹部が形成され、この環状凹部内には、外部から土砂等の異物が入り込まないようにスライド軸受け部３７と作動筒状部３９との間を密封する、特殊合成ゴム製のダストシール５５が嵌め込まれている。スライド軸受け部３７の環状の下端面５７は、外周側から内周側に向かって上側に傾斜するテーパ状に形成されている。
【００２１】
作動筒状部３９の下側外周面には、作動筒状部３９が上昇したときにスライド軸受け部３７の下端面５７に当接して、作動筒状部３９の上昇を規制するとともにスライド軸受け部３７及び作動筒状部３９の隙間から水が漏れ出さないようにシールする、環状の当接部材５９が設けられ、この当接部材５９の上端面６１は、スライド軸受け部３７の下端面５７の形状と対応して、外周側から内周側に向かって上側に傾斜するテーパ状に形成されている。当接部材５９の下端部は径方向外側に突出する大径部６３として形成され、この大径部６３とスライド軸受け部３７の外向き突出部５１との間には圧縮コイルばね６５が嵌め付けられていて、作動筒状部３９は圧縮コイルばね６５により下側に付勢されている。また、当接部材５９には、径方向外側に向かって突出する案内部材６７が設けられていて、この案内部材６７は、固定筒状部３５のガイド溝４１内にスライド可能に嵌まり込み、作動筒状部３９の回り止め及び上下動の案内の役割を果たしている。
【００２２】
昇降機構部１１は、送水管１５からの送水が、固定筒状部３５内を通って作動筒状部３９内に注入され、この作動筒状部３９内を通過するように構成されているが、このときの水圧により、作動筒状部３９が軸受け部３７内を上昇して固定筒状部３５から突出するように構成されている。作動筒状部３９は、案内部材６７が嵌まり込んだガイド溝４１に案内されて、当接部材５９の上端面６１がスライド軸受け部３７の下端面５７に当接するまで上昇することとなる。送水管１５からの送水が停止されると、作動筒状部３９は、圧縮コイルばね６５の付勢により下降して固定筒状部３５内に収容される。
【００２３】
スプリンクラーヘッド９は、昇降機構部１１の作動筒状部３９内に回転可能に嵌まり込むように設けられた送水パイプ６９を下端部に一体的に有する筒状本体７１と、この筒状本体７１に一体的に接続された、斜め上方に向かって延びる放水用ノズル部７３と、この放水用ノズル部７３の上方に設けられた、筒状本体７１を回転させるための回転機構部７５と、回転機構部７５により回転した筒状本体７１を反対方向に回転させるための反転機構部７７と、回転機構部７５の上側に固定され、上端部に蓋体１３が揺動可能に取り付けられた蓋体支持部７９と、を備えている。筒状本体７１の送水パイプ６９は、作動筒状部３９の上端内周面に固定された筒状の回転軸受け部８１内に回転可能に嵌め付けられ、下端に形成された、外側に突出する環状の鍔部８３により回転軸受け部８１に対して抜け止めされている。なお、符号８５は、回転軸受け部８１を作動筒状部３９に固定するための環状の固定用部材であり、符号８７は、筒状本体７１の回転力を調整するために、この筒状本体７１を上方に付勢するコイルばねである。なお、回転機構部７５及び反転機構部７７には、公知又はほとんど公知の構造を採用している。
【００２４】
放水用ノズル部７３は、筒状本体７１から約２５度の仰角で斜め上方に向かって延びる根元部８９と、この根元部８９の先端に接続され、根元部８９の径方向又は幅方向に分岐する分岐部９１と、分岐部９１の一端に取り付けられ、分岐部９１と直角又はほぼ直角に屈曲して延びる大口径ノズル９３（放水用ノズル）と、分岐部９１の他端に取り付けられ、分岐部９１と垂直又はほぼ垂直に屈曲して、すなわち、大口径ノズル９３の水平角と等しい又はほぼ等しい水平角を有して延びる噴霧ノズル９５（放水用ノズル）と、を備え、送水管１５から送り出されて作動筒状部３９を通過した水が、筒状本体７１内から根元部８９及び分岐部９１内を通って大口径ノズル９３及び噴霧ノズル９５から放出されるように構成されている。大口径ノズル９３及び噴霧ノズル９５は、仰角ほぼ２０度から６５度の間で回動できるように分岐部９１に取り付けられていて、任意の仰角に回動させてからネジピン９７、９７で分岐部９１に固定することにより、各々別個に放水仰角を設定変更できるように構成されている。
【００２５】
回転機構部７５の上側に固定された蓋体支持部７９は、スプリンクラーヘッド９の軸を中心としてのノズル側（放水用ノズル部７３側）に、上方に突出する取り付け突出部９９を有していて、この取り付け突出部９９の上端部、すなわちスプリンクラーヘッド９の上端部には蓋体１３が揺動可能に取り付けられている。また、蓋体支持部７９は、スプリンクラーヘッド９の軸を中心として取り付け突出部９９と反対側の上端外周縁部がストッパ１０１となっていて、このストッパ１０１は、揺動した蓋体１３の下面のノズル側と反対側に当接して、蓋体１３の揺動を規制するとともに蓋体１３を支持するように構成されている。
【００２６】
蓋体１３は、上面から外周面及び下面外周側にわたってゴム製のカバー材１０３で覆われた円盤状体として形成され、外周面が、ボックス体７の上端開口部３のテーパ部１９の形状と対応して上側から下側に向かって縮径するテーパ状に形成されていて、スプリンクラーヘッド９の下降時には、ボックス体７の上端開口部３内に嵌まり込むように構成されている。蓋体１３は、下面に設けられたブラケット１０２を介して揺動可能に蓋体支持部７９の取り付け突出部９９に取り付けられているが、ブラケット１０２は、蓋体１３の中心（重心）からノズル側に偏るように設けられているため、スプリンクラーヘッド９が上昇すると、自重により、ノズル側と反対側が下側に傾くように、すなわち、ノズル側が上側に傾くように揺動する。
【００２７】
回転機構部７５は、筒状本体７１と一体的に接続され、放水用ノズル部７３の上方から約２５度の仰角で延びる回転駆動用ノズル１０５と、筒状本体７１の上端部に、この筒状本体７１の軸を中心として回転可能に取り付けられた回転アーム１０７と、回転駆動用ノズル１０５の反対側で筒状本体７１に一体的に設けられた、上方に延びる柱材１０９と、を備えている。回転アーム１０７は、先端部に受け皿状の水受け部材１１１が設けられたノズル側の作用アーム部１１３と、この作用アーム部１１３に一体的に設けられて反対側に延びる打撃アーム部１１５と、から構成されていて、トーションコイルばね１１７によって、打撃アーム部１１５が柱材１０９に当接するように右回り方向（図４の矢印Ａ方向）に付勢されている。打撃アーム部１１５の根元部の下側には、径方向外側に突出する押圧片１１９が設けられている。
【００２８】
送水管１５から作動筒状部３９を通過した水が、筒状本体７１内を通って回転駆動用ノズル１０５から放出され、水受け部材１１１に当たると、水受け部材１１１に作用した水圧により、水受け部材１１１が回転駆動用ノズル１０５の放水から開放されるように回転アーム１０７は矢印Ｂ方向に所定角度回転する（図５参照：図５は回転機構部７５の作動の第１段階を説明する概略図）。回転アーム１０７は、矢印Ｂ方向に所定角度回転した後、トーションコイルばね１１７の付勢によって矢印Ａ方向に復帰回転し、打撃アーム部１１５が柱材１０９に激突して（図４の状態）、筒状本体７１又はスプリンクラーヘッド９を矢印Ｃ方向に回動させるとともに、再び回転駆動用ノズル１０５からの放水を水受け部材１１１が受けて、回転アーム１０７が矢印Ｂ方向に所定角度回転する（図６参照：図６は回転機構部７５の作動の第２段階を説明する概略図）。このようにして、回転アーム１０７の回転及び復帰回転が繰り返されることにより、筒状本体７１又はスプリンクラーヘッド９が矢印Ｃ方向に徐々に回転していくこととなる。
【００２９】
反転機構部７７は、回転機構部７５によって矢印Ｃ方向（図６参照）に所定角度回転した筒状本体７１を矢印Ｃ方向と反対方向に回転させるように構成され、柱材１０９の側方に固定された、垂直又はほぼ垂直に延びる軸部１２１と、この軸部１２１を中心として揺動可能に設けられた、当接アーム１２３を有する上側揺動部１２５と、この上側揺動部１２５の下側に配置され、軸部１２１を中心として揺動する下側揺動部１２７と、回転軸受け部８１の上端部外周にきつく嵌め付けられたＣ型リング１２９、１３１と、を備え、Ｃ型リング１２９、１３１にはそれぞれ、周方向両端部に又は径方向対称的に押圧突片１３３、１３５が一体的に設けられている。上側揺動部１２５及び下側揺動部１２７は、トーションコイルばね１３７の一端部及び他端部がそれぞれ接続されていて、上側揺動部１２５の周方向一方側突部及び下側揺動部１２７の周方向他方側突部、あるいは上側揺動部１２５の周方向他方側突部（当接アーム１２３）及び下側揺動部１２７の周方向一方側突部がそれぞれ、筒状本体７１に当接するように（図４では、上側揺動部１２５の一方側突部及び下側揺動部１２７の他方側突部が筒状本体７１に当接している状態）、トーションコイルばね１３７により互いに反対の揺動方向に付勢されている。当接アーム１２３の先端部には、上方に突出する当接爪部１３９が形成されていて、下側揺動部１２７には、下方に延び、筒状本体７１の所定角度の回転により押圧突片１３３又は１３５に当接する当接棒１４１が取り付けられている。
【００３０】
送水管１５から送水され、回転機構部７５により筒状本体７１が矢印Ｃ方向に回転し、当接棒１４１が一方の押圧突片１３３に当接して相対的に押されると、下側揺動部１２７は、トーションコイルばね１３７の付勢に反するように、周方向一方側突部が筒状本体７１に当接するまで矢印Ｄ方向に揺動する。そうすると、トーションコイルばね１３７が、下側揺動部１２７の揺動方向にスナップ的に回って上側揺動部１２５及び下側揺動部１２７の付勢方向を反対とすることにより、上側揺動部１２５は、当接アーム１２３が筒状本体７１に当接して、当接爪部１３９が回転アーム１０７の押圧片１１９の回転軌跡上に位置するまで、矢印Ｅ方向に揺動する（図７参照：図７は反転機構部７７の作動の第１段階を説明する概略図）。そして、回転駆動用ノズル１０５からの放水が水受け部材１１１に当たって回転アーム１０７が矢印Ｂ方向に回転すると、押圧片１１９が当接アーム１２３の当接爪部１３９に当接して押圧する（図８参照：図８は反転機構部７７の作動の第２段階を説明する概略図）ことにより、筒状本体７１又はスプリンクラーヘッド９は矢印Ｆ方向に回動する（図９参照：図９は反転機構部７７の作動の第３段階を説明する概略図）。その後、回転アーム１０７が、トーションコイルばね１１７の付勢によって矢印Ｂ方向と反対方向（矢印Ａ方向）に回転し、回転駆動用ノズル１０５からの放水が水受け部材１１１に当たって矢印Ｂ方向に回転するといった具合に、回転及び復帰回転を繰り返すことにより、筒状本体７１又はスプリンクラーヘッド９が矢印Ｆ方向に徐々に回転していくこととなる。トーションコイルばね１１７の付勢による回転アーム１０７の矢印Ａ方向への回転にともない、打撃アーム１１５が柱材１０９に当接又は接触するが、このときの打撃アーム１１５の柱材１０９への作用力は僅かであるため、筒状本体７１又はスプリンクラーヘッド９は矢印Ｆ方向と反対方向には全く又はほとんど回動しない。
【００３１】
筒状本体７１又はスプリンクラーヘッド９の矢印Ｆ方向への回転により、当接棒１４３が他方の押圧突片１３５に当接して相対的に押されると、下側揺動部１２７は、トーションコイルばね１３７の付勢に反するように、周方向他方側突部が筒状本体７１に当接するまで、矢印Ｄ方向と反対方向に回動する。そうすると、トーションコイルばね１３７が、下側揺動部１２７の揺動方向にスナップ的に回って上側揺動部１２５及び下側揺動部１２７の付勢方向を元に戻すことにより、上側揺動部１２５は、当接爪部１３９が回転アーム１０７の押圧片１１９の回転軌跡上から外れ、周方向一方側突部が筒状本体７１に当接するまで、矢印Ｅ方向と反対方向に揺動するので、筒状本体７１又はスプリンクラーヘッド９は、回転機構部７５によって反対方向（図６の矢印Ｃ方向）に回転することとなる。なお、Ｃ型リング１２９及びＣ型リング１３１を回転させて、押圧突片１３３、１３５間の角度を調整することにより、筒状本体７１又はスプリンクラーヘッド９の回転角度を任意に設定できる。
【００３２】
スプリンクラー１は、送水管１５から送水されると、水圧によりスプリンクラーヘッド９がボックス体７の上端開口部３から突出するように上昇し、蓋体１３が、ノズル側が上側となるように揺動して傾斜するとともに、回転機構部７５及び反転機構部７７により筒状本体７１又はスプリンクラーヘッド９が往復回転運動しながら、大口径ノズル９３及び噴霧ノズル９５から放水される。この状態で、蓋体１３は、ノズル側と反対側の下面が蓋体支持部７９のストッパ１０１に当接することにより、下端部がボックス体７の上端開口部３よりも上側に位置するように揺動が規制される。蓋体１３の揺動により、大口径ノズル９３又は噴霧ノズル９５の仰角を大きく、例えば６５度に設定しておいても、大口径ノズル９３又は噴霧ノズル９５からの放水が蓋体１３にあたることがない。
【００３３】
また、スプリンクラー１は、送水管１５からの送水が停止されると、スプリンクラーヘッド９が下降し、スプリンクラーヘッド９とともに下降した蓋体１３がボックス体７の上端開口部３を閉塞する。このとき、スプリンクラーヘッド９とともに下降した蓋体１３は、まず、傾斜した蓋体の下端部１４３（図１０参照：図１０は蓋体１３の作動を説明するための図）の両側が、上端開口部３に形成された内向きフランジ部２１の内周縁上端（凹部２３の内周縁）に当接又は接触する。そして、さらにスプリンクラーヘッド９が下降すると、蓋体１３は、内向きフランジ部２１との接触個所を徐々に下端部１４３側に変位させながら揺動して水平状態に近づいていくが、蓋体１３が上端開口部３に嵌まり込む直前では、蓋体１３の下端部１４３が、内向きフランジ部２１の内周面に接触することなく矢印Ｇに示すように、凹部２３を通過することとなる。したがって、スプリンクラーヘッド９の下降にともなって、蓋体１３は、内向きフランジ部２１の内周面に引っ掛かることなく、スムーズに揺動して上端開口部３に嵌まり込む。
【００３４】
なお、スプリンクラー１は、図１１に示すように（図１１はスプリンクラー１を、ボックス体７が地上に突出するように設置した状態を示す図）、ボックス体７が地上に突出するように設置される場合もある。このような場合には、蓋体１３がボックス体７の上端開口部３を閉塞しているときに、ボックス体７及び蓋体１３は腰掛けを構成する。蓋体１３のカバー材１０３及びボックス体７のカバー部材１７により、腰掛けたときに臀部に大きな負担がかからない。
【産業上の利用可能性】
【００３５】
本発明のスプリンクラーを公園等に設置すれば、効果的な散水を実施することができる。
【図面の簡単な説明】
【００３６】
【図１】本発明に係るスプリンクラーの正面方向の断面図である。
【図２】スプリンクラーの要部を示す断面図である。
【図３】スプリンクラーのスプリンクラーヘッドが上昇した状態を示す断面図である。
【図４】スプリンクラーヘッドの概略を示す平面図である。
【図５】回転機構部の作動の第１段階を説明する概略図である。
【図６】回転機構部の作動の第２段階を説明する概略図である。
【図７】反転機構部の作動の第１段階を説明する概略図である。
【図８】反転機構部の作動の第２段階を説明する概略図である。
【図９】反転機構部の作動の第３段階を説明する概略図である。
【図１０】蓋体の作動を説明するための図である。
【図１１】スプリンクラーを、ボックス体が地上に突出するように設置した状態を示す図である。
【符号の説明】
【００３７】
１                スプリンクラー
３                上端開口部
７                ボックス体
９                スプリンクラーヘッド
１３              蓋体
７３              放水用ノズル部
９３              大口径ノズル（放水用ノズル）
９５              噴霧ノズル（放水用ノズル）
【図１】
2005161137.tif 000003
【図２】
2005161137.tif 000004
【図３】
2005161137.tif 000005
【図４】
2005161137.tif 000006
【図５】
2005161137.tif 000007
【図６】
2005161137.tif 000008
【図７】
2005161137.tif 000009
【図８】
2005161137.tif 000010
【図９】
2005161137.tif 000011
【図１０】
2005161137.tif 000012
【図１１】
2005161137.tif 000013